(57)【要約】      （修正有）【課題】確実な作動と安全かつ容易な設置が可能な動物捕獲用罠装置を提供する。【解決手段】動物用罠装置は、一定の高さを有する四角形の壁部の対向する２辺の上部にそれぞれ前記四角形内部に向かって突出する２カ所の突起２を設けた枠体１と、枠体に収納可能な外形を有する踏み板１０の表面に、外周が楕円を形成するように一対のＵ字状ワイヤ保持枠１２が踏み板表面に対してそれぞれ垂直方向に回動自在に配置されており、一対のＵ字状ワイヤ保持枠のいずれかの連結部において一対のＵ字状ワイヤ保持枠を同時に上部より押圧することにより回動を規制するロック手段が設けられた踏み板と、先端がループ状に構成され、ループ径を自在に変更できる手段とループ径を縮小する方向に付勢する手段とを有する捕獲ワイヤとからなることを特徴とする。【選択図】図７
0003196146.tif 000002
【実用新案登録請求の範囲】
【考案の詳細な説明】
【技術分野】
【０００１】  本考案は、猪、鹿等の有害野生動物を捕獲するための罠装置に関する。
【背景技術】
【０００２】  従来から、猪や鹿等の有害野生動物を捕獲するための罠として、踏み板の反動によるワイヤ発射タイプの装置が提案されている。【０００３】  例えば、特許文献１には、踏み板の上面に半円弧状の作動体を互いに対向させて載置し、各作動体の回動端部を枠体の受け桟に載置し、縮小方向に付勢されたループを有するワイヤを各作動体の外周に懸回してリング状に保形した野生動物用罠が開示されている。しかし、この装置では作動体の支点と受け桟との距離が大きいため、踏み板の降下距離が長くならないと作動しにくいという問題点がある。また、ワイヤを設置する際には、安全のため規制ピンを枠体に差し込み、使用する直前にこのピンを抜き取らなければならないので、手間が掛かる。【０００４】  また、特許文献２には、踏み板と半枠状に構成された１対の作動部材と、この作動部材を指示する枠体と、付勢手段によりループ状に保持された捕獲ワイヤとからなる動物捕獲用罠が開示されている。この装置では、枠体に切り欠き縁を設け、この切り欠き縁により作動部材の回動を発生させるため、作動部材の初動速度を向上し確実に動物を捕獲できるとされる。しかしながら、この文献においては、捕獲ワイヤセット時の作動部材同士の角度は特に規定されておらず、図２を参照する限り、１８０度と推量される。しかしながら、この角度が１８０度である場合、ワイヤセット後に安全装置を取り外す際に、わずかの応力により作動部材が回動してワイヤを発射してしまう危険性がある。また、ワイヤをセットした後で、安全装置を解除しなければならないので手間もかかる。
【特許文献】
【０００５】
【特許文献１】実用新案登録第３１２７８３２号公報
【特許文献２】実用新案登録第３１５４１９５号公報
【考案の開示】
【考案が解決しようとする課題】
【０００６】  本考案は上記従来技術の問題点に鑑みてなされたものであり、確実な作動と安全かつ容易な設置が可能な動物用罠装置を提供することを課題とする。
【課題を解決するための手段】
【０００７】  上記課題を解決するため本考案による動物用罠装置は、一定の高さを有する四角形の壁部の対向する２辺の上部にそれぞれ前記四角形内部に向かって突出する２カ所の突起を設けた枠体と、前記枠体に収納可能な外形を有する踏み板表面に、外周が楕円を形成するように一対のＵ字状ワイヤ保持枠が前記踏み板表面に対してそれぞれ垂直方向に回動自在に配置されており、前記一対のＵ字状ワイヤ保持枠のいずれかの連結部において前記一対のＵ字状ワイヤ保持枠を同時に上部より押圧することにより回動を規制するロック手段が設けられた踏み板と、先端がループ状に構成され、前記ループ径を自在に変更できる手段とループ径を縮小する方向に付勢する手段とを有する捕獲ワイヤとからなることを特徴とする。【０００８】  前記踏み板を前記枠体と組み合わせた際に、前記Ｕ字状ワイヤ保持枠各々が前記突起の各々と交差するよう配置されていることが好適である。【０００９】  また、前記Ｕ字状ワイヤ保持枠の各々を前記踏み板に接するように寝かせた際に、前記Ｕ字状ワイヤ保持枠の各々の上面同士がなす角度が１８０度超であることが望ましい。【００１０】  前記捕獲ワイヤをＵ字状ワイヤ保持枠に係合保持した際に、前記ワイヤ上の付勢手段が前記枠体に抵触するのを防止するため、前記枠体の片側に切り欠き部を設けることが好適である。【００１１】  さらに、前記それぞれのＵ字状ワイヤ保持枠は、外周部に溝が形成されていることが好適である。
【考案の効果】
【００１２】  本考案による動物用罠装置は、枠体とＵ字状ワイヤ保持枠付き踏み板とを係合させてロック爪をＵ字状ワイヤ保持枠に係止することにより罠装置を一体化できるため、持ち運びが便利である。また、このロック爪によりＵ字状ワイヤ保持枠の回動を規制できるため、捕獲ワイヤをセットする際に安全である。枠体に配置した突起の位置を変更することにより、踏み板を踏んだときＵ字状ワイヤ保持枠が作動する感度を調整することができるため、対象動物の体重に合わせて確実に罠装置を作動することができる。
【考案を実施するための最良の形態】
【実施例】
【００１３】  以下、図面に基づいて本考案の好適な実施例について説明する。図１に本考案による罠装置の一実施例の斜視図を示す。図１は、４カ所において内方に突出した突起２を具備した枠体１と、枠体１内に収納可能な外形を有する踏み板１０上に、外周が楕円を形成するように一対のＵ字状ワイヤ保持枠１２が前記踏み板１０表面に対してそれぞれ垂直方向に回動自在に配置された踏み板１０とからなる。４カ所の突起２は、踏み板１表面とＵ字状ワイヤ保持枠１２との間に配置されており、１組のＵ字状ワイヤ保持枠１２はさらに、左右方向に開放された状態で、ロック爪１４により回動を規制されて固定されている。この状態において、本実施例の罠装置は枠体１と踏み板１０とが一体化されている。【００１４】  図２は、図１に示した実施例の枠体１の平面図である。四角形の壁部１の上下両辺上から、各々２つの突起２が内方に向かって突出している。また、枠体１の少なくとも１辺上には切り欠き部３が形成され、枠体１の上部より高さが低く形成されている。【００１５】  図３には、図１に示した実施例の踏み板１０の構成を示す。踏み板１０の上下端部近傍にＵ字状ワイヤ支持部１１が設けてあり、凸状部１６が外側を向くようにして１対のＵ字状ワイヤ保持枠１２が回動軸１５により回動自在に取り付けられている。【００１６】  一方のＵ字状ワイヤ支持部１１にはさらに、ロック爪が設けられ、１対のＵ字状ワイヤ保持枠１２が開かれた（凸状部１６が踏み板１０に最接近している状態）状態において、Ｕ字状ワイヤ保持枠１２の上側に係止することにより、Ｕ字状ワイヤ保持枠１２の回動を規制することができる。図４にロック爪１４の取り付け状態を示す断面模式図を示す。Ｕ字状ワイヤ支持部１１の屈曲部に沿ってロック爪軸１３が固定されており、このロック爪軸１３に対してロック爪１４が回動自在に取り付けられている。従って、ロック爪１４を回動させてＵ字状ワイヤ保持枠１２の上側に接触係止することにより、Ｕ字状ワイヤ保持枠１２の回動が規制される。【００１７】  ロック爪１４をＵ字状ワイヤ保持枠１２に係止した際の踏み板１０と枠体１の状態を図５に示す。ロック爪１４が両方のＵ字状ワイヤ保持枠１２に係止している。また、この状態においては、一対のＵ字状ワイヤ保持枠１２は水平（Ａ−Ａ’線）よりも下側に位置している、すなわち、Ｕ字状ワイヤ保持枠１２同士のなす角度は１８０度を超えている。【００１８】  上記実施例の罠装置を使用する際のセット状態を図７に示す。図１に示した踏み板１０と枠体１との組み合わせ状態において、Ｕ字状ワイヤ保持枠１２の周囲に、バネ２３およびバネ受け部２２により縮小方向に付勢されたループ状捕捉部２４を有する捕捉ワイヤ２０を巡らして保持しておく。枠体１に設けた切り欠き部３は、この際にバネ受け部２２と枠体１が抵触しないための手段である。この捕捉ワイヤの例としては、例えば特許文献２の図４に示されている。このワイヤの取り付けを容易にするため、Ｕ字状ワイヤ保持枠１２各々の外周には捕獲ワイヤ２０のずれを防止するための溝を設けることが望ましい。【００１９】  次に、上記実施例の作動について説明する。図７に示したセット状態で動物がこの装置上に来て踏み板１０を���むと、図６に示したようにロック爪１４が外れて踏み板１０が枠体１内で落下する。Ｕ字状ワイヤ保持枠１２は、端部がＵ字状ワイヤ支持部１１において踏み板に固定されているが、Ｕ字状ワイヤ保持枠１２と踏み板１０との間に突起２が介在するため、Ｕ字状ワイヤ保持枠１２の凸状部１６が上方に跳ね上げられ、このとき捕捉ワイヤ２０がＵ字状ワイヤ保持枠１２より解放される。捕捉ワイヤ２０はループ状捕捉部が縮小方向に付勢されているため、ループ状捕捉部の径が小さくなって動物の足に掛かる。
【産業上の利用可能性】
【００２０】  以上説明したように、本考案による動物用罠装置は確実な作動と安全な設置を可能にできるため、有害動物捕獲に極めて有用である。
【図面の簡単な説明】
【００２１】
【図１】本考案による罠装置の一実施例の斜視図であり、踏み板と枠体とを組み合わせた状態を示す。
【図２】図１に示した実施例の枠体の平面図である。
【図３】図１に示した実施例の踏み板の構成を示す斜視図である。
【図４】図３に示したロック爪の取り付け状態を示す断面模式図である。
【図５】図１に示した実施例の正面図である。
【図６】図１に示した実施例を使用できるようにセットした状態を示す斜視図である。
【符号の説明】
【００２２】１                  枠体
２                  突起
３                  切り欠き部
１０                踏み板
１１                Ｕ字状ワイヤ保持枠支持部
１２                Ｕ字状ワイヤ保持枠
１３                ロック爪軸
１４                ロック爪
１５                回動軸
１６                凸状部
２０                捕獲ワイヤ
２１                係止部
２２                バネ受け部
２３                バネ
0003196146.tif 000003
【手続補正書】
【提出日】平成26年7月11日(2014.7.11)
【手続補正１】
【補正対象書類名】実用新案登録請求の範囲
【補正対象項目名】全文
【補正方法】追加
【補正の内容】
【実用新案登録請求の範囲】
【請求項１】
一定の高さを有する四角形の壁部の対向する２辺の上部にそれぞれ前記四角形内部に向かって突出する２カ所の突起を設けた枠体と、前記枠体に収納可能な外形を有する踏み板表面に、外周が楕円を形成するように一対のＵ字状ワイヤ保持枠が前記踏み板表面に対してそれぞれ垂直方向に回動自在に配置されており、前記一対のＵ字状ワイヤ保持枠のいずれかの連結部において前記一対のＵ字状ワイヤ保持枠を同時に上部より押圧することにより回動を規制するロック手段が設けられた踏み板と、先端がループ状に構成され、前記ループ径を自在に変更できる手段とループ径を縮小する方向に付勢する手段とを有する捕獲ワイヤとからなることを特徴とする動物捕獲用罠装置。
【請求項２】
前記踏み板を前記枠体と組み合わせた際に、前記Ｕ字状ワイヤ保持枠各々が前記突起の各々と交差するよう配置されていることを特徴とする請求項１記載の動物捕獲用罠装置。
【請求項３】
前記Ｕ字状ワイヤ保持枠の各々を前記踏み板に接するように寝かせた際に、前記Ｕ字状ワイヤ保持枠の各々の上面同士がなす角度が１８０度超であることを特徴とする請求項１または２記載の動物捕獲用罠装置。
【請求項４】
前記捕獲ワイヤをＵ字状ワイヤ保持枠に係合保持した際に、前記ワイヤ上の付勢手段が前記枠体に抵触するのを防止するため、前記枠体の片側に切り欠き部をもうけたことを特徴とする請求項１乃至３のいずれかに記載の動物捕獲用罠装置。
【請求項５】
前記それぞれのＵ字状ワイヤ保持枠は、外周部に溝が形成されていることを特徴とする請求項１乃至４のいずれかに記載の動物捕獲用罠装置。
【手続補正書】
【提出日】平成26年9月17日(2014.9.17)
【手続補正１】
【補正対象書類名】図面
【補正対象項目名】全図
【補正方法】変更
【補正の内容】
【図１】
0003196146.tif 000004
【図２】
0003196146.tif 000005
【図３】
0003196146.tif 000006
【図４】
0003196146.tif 000007
【図５】
0003196146.tif 000008
【図６】
0003196146.tif 000009
【図７】
0003196146.tif 000010
【手続補正書】
【提出日】平成26年12月26日(2014.12.26)
【手続補正１】
【補正対象書類名】明細書
【補正対象項目名】００２１
【補正方法】変更
【補正の内容】
【００２１】
【図１】本考案による罠装置の一実施例の斜視図であり、踏み板と枠体とを組み合わせた状態を示す。
【図２】図１に示した実施例の枠体の平面図である。
【図３】図１に示した実施例の踏み板の構成を示す斜視図である。
【図４】図３に示したロック爪の取り付け状態を示す断面模式図である。
【図５】図１に示した実施例の正面図である。
【図６】図１に示した罠装置において、踏み板上のＵ字状ワイヤ保持枠が作動した状態を示す正面図である。
【図７】図１に示した実施例を使用できるようにセットした状態を示す斜視図である。